【手続補正書】
【提出日】平成27年5月19日(2015.5.19)
【手続補正１】
【補正対象書類名】明細書
【補正対象項目名】０００９
【補正方法】変更
【補正の内容】
【０００９】
上記目的を達成するために、本発明の撮像装置は、撮影レンズを介して入射する光を光電変換して電気信号を出力する、２次元に配置された複数の光電変換部と、光軸上において、前記撮影レンズと前記複数の光電変換部との間にあり、前記複数の光電変換部を予め決められた数ずつ分割した複数の単位領域それぞれについて１つ対応づけられて配置される、複数のマイクロレンズとを有する撮像手段と、前記撮像手段から得られる電気信号による画像を複数に分割した分割領域毎に、任意の距離に合焦した画像を生成するリフォーカス処理に用いる可能性がある分割領域か否かを判定する判定手段と、前記複数の分割領域のうち、前記判定手段によりリフォーカス処理に用いる可能性があると判定された分割領域に含まれる前記単位領域を構成する光電変換部から出力される電気信号を、前記単位領域毎に加算する加算手段と、前記複数の分割領域のうち、前記加算手段により加算された分割領域の電気信号を記録するとともに、前記判定手段によりリフォーカス処理に用いる可能性があると判定されなかった分割領域の電気信号を加算せずにそれぞれ記録する記録手段とを有する。
【手続補正２】
【補正対象書類名】特許請求の範囲
【補正対象項目名】全文
【補正方法】変更
【補正の内容】
【特許請求の範囲】
【請求項１】
撮影レンズを介して入射する光を光電変換して電気信号を出力する、２次元に配置された複数の光電変換部と、
光軸上において、前記撮影レンズと前記複数の光電変換部との間にあり、前記複数の光電変換部を予め決められた数ずつ分割した複数の単位領域それぞれについて１つ対応づけられて配置される、複数のマイクロレンズと
を有する撮像手段と、
前記撮像手段から得られる電気信号による画像を複数に分割した分割領域毎に、任意の距離に合焦した画像を生成するリフォーカス処理に用いる可能性がある分割領域か否かを判定する判定手段と、
前記複数の分割領域のうち、前記判定手段によりリフォーカス処理に用いる可能性があると判定された分割領域に含まれる前記単位領域を構成する光電変換部から出力される電気信号を、前記単位領域毎に加算する加算手段と、
前記複数の分割領域のうち、前記加算手段により加算された分割領域の電気信号を記録するとともに、前記判定手段によりリフォーカス処理に用いる可能性があると判定されなかった分割領域の電気信号を加算せずにそれぞれ記録する記録手段と
を有することを特徴とする撮像装置。
【請求項２】
前記判定手段は、
前記撮像手段から得られる電気信号による画像を複数に分割した分割領域毎に、各分割領域に含まれる被写体までの距離を算出する算出手段を有し、
前記複数の分割領域のうち、前記算出手段により算出された被写体までの距離が予め決められた距離以下の距離にある分割領域を、前記リフォーカス処理に用いる可能性がある分割領域と判定し、それ以外の分割領域を、前記リフォーカス処理に用いる可能性が無い分割領域と判定することを特徴とする請求項１に記載の撮像装置。
【請求項３】
前記判定手段は、
前記撮像手段から得られる電気信号による画像を複数に分割した分割領域毎に、各分割領域に含まれる被写体までの距離を算出する算出手段を有し、
前記複数の分割領域のうち、前記算出手段により算出された被写体までの距離が予め決められた距離以下の距離にある分割領域及び当該分割領域に隣接する分割領域を、前記リフォーカス処理に用いる可能性がある分割領域と判定し、それ以外の分割領域を、前記リフォーカス処理に用いる可能性が無い分割領域と判定することを特徴とする請求項１に記載の撮像装置。
【請求項４】
前記算出手段は、前記単位領域毎に、前記撮影レンズの第１の瞳領域を通過した光束を受光した光電変換部から得られる電気信号を加算して第１の合成信号を算出し、前記第１の瞳領域と異なる第２の瞳領域を通過した光束を受光した光電変換部から得られる電気信号を加算して第２の合成信号を算出し、前記各分割領域に含まれる前記複数の単位領域の前記第１の合成信号と前記第２の合成信号との位相差に基づいて、被写体までの距離を算出することを特徴とする請求項２または３に記載の撮像装置。
【請求項５】
被写体を照射する被写体照射手段を有し、
前記被写体照射手段を用いて撮影を行う場合、前記予め決められた距離を前記被写体照射手段からの照射光が到達する距離とすることを特徴とする請求項２乃至４のいずれか１項に記載の撮像装置。
【請求項６】
前記加算手段を、前記撮像手段の内部に構成したことを特徴とする請求項１乃至５のいずれか１項に記載の撮像装置。
【請求項７】
前記加算手段を、前記撮像手段の外部に構成したことを特徴とする請求項１乃至５のいずれか１項に記載の撮像装置。
【請求項８】
前記記録手段は、前記電気信号を加算した前記分割領域と、前記電気信号を加算していない前記分割領域とを示すデータを更に記録することを特徴とする請求項１乃至７のいずれか１項に記載の撮像装置。
【請求項９】
前記加算手段は、前記単位領域毎に、前記加算した電気信号を平均する処理を更に行い、前記記録手段は、前記平均された電気信号を記録することを特徴とする請求項１乃至８のいずれか１項に記載の撮像装置。
【請求項１０】
撮影レンズを介して入射する光を光電変換して電気信号を出力する、２次元に配置された複数の光電変換部と、光軸上において、前記撮影レンズと前記複数の光電変換部との間にあり、前記複数の光電変換部を予め決められた数ずつ分割した複数の単位領域それぞれについて１つ対応づけられて配置される、複数のマイクロレンズとを有する撮像手段を含む撮像装置の制御方法であって、
判定手段が、前記撮像手段から得られる電気信号による画像を複数に分割した分割領域毎に、任意の距離に合焦した画像を生成するリフォーカス処理に用いる可能性がある分割領域か否かを判定する判定工程と、
加算手段が、前記複数の分割領域のうち、前記判定工程でリフォーカス処理に用いる可能性があると判定された分割領域に含まれる前記単位領域を構成する光電変換部から出力される電気信号を、前記単位領域毎に加算する加算工程と、
記録手段が、前記複数の分割領域のうち、前記加算工程で加算された分割領域の電気信号を記録するとともに、前記判定工程でリフォーカス処理に用いる可能性があると判定されなかった分割領域の電気信号を加算せずにそれぞれ記録する記録工程と
を有することを特徴とする撮像装置の制御方法。
【請求項１１】
撮影レンズを介して入射する光を光電変換して電気信号を出力する、２次元に配置された複数の光電変換部と、
光軸上において、前記撮影レンズと前記複数の光電変換部との間にあり、前記複数の光電変換部を予め決められた数ずつ分割した複数の単位領域それぞれについて１つ対応づけられて配置される、複数のマイクロレンズと
を有する撮像手段と、
前記撮像手段から得られる電気信号による画像を複数に分割した分割領域毎に、各分割領域に含まれる被写体までの距離を算出する算出手段と、
前記単位領域を構成する光電変換部から出力される電気信号を、前記単位領域毎に加算する加算手段と、を有し、
前記加算手段は、前記複数の分割領域のうち、前記算出手段により算出された被写体までの距離が予め決められた距離範囲にある分割領域の電気信号を加算し、前記算出手段により算出された被写体までの距離が予め決められた距離範囲以外の距離にある分割領域の電気信号を加算しないことを特徴とする撮像装置。
【請求項１２】
撮影レンズを介して入射する光を光電変換して電気信号を出力する、２次元に配置された複数の光電変換部と、光軸上において、前記撮影レンズと前記複数の光電変換部との間にあり、前記複数の光電変換部を予め決められた数ずつ分割した複数の単位領域それぞれについて１つ対応づけられて配置される、複数のマイクロレンズとを有する撮像手段を有する撮像装置の制御方法であって、
算出手段が、前記撮像手段から得られる電気信号による画像を複数に分割した分割領域毎に、各分割領域に含まれる被写体までの距離を算出する算出工程と、
加算手段が、前記単位領域を構成する光電変換部から出力される電気信号を、前記単位領域毎に加算する加算工程と、を有し、
前記加算工程では、前記複数の分割領域のうち、前記算出工程により算出された被写体までの距離が予め決められた距離範囲にある分割領域の電気信号を加算し、前記算出工程により算出された被写体までの距離が予め決められた距離範囲以外の距離にある分割領域の電気信号を加算しないことを特徴とする撮像装置の制御方法。
【請求項１３】
コンピュータに、請求項１０または１２に記載の制御方法の各工程を実行させるためのプログラム。
【請求項１４】
請求項１３に記載のプログラムを格納したコンピュータが読み取り可能な記憶媒体。